(57)【特許請求の範囲】
【請求項１】
基板に取り付けられて使用される相手側コネクタ装置に設けられた第１の嵌合部との嵌合状態におかれる第２の嵌合部が設けられた絶縁ハウジングと、
上記第２の嵌合部に配列配置される部分を有して上記絶縁ハウジングに配され、上記第２の嵌合部が上記第１の嵌合部との嵌合状態におかれるとき、上記相手側コネクタ装置に配されて上記基板との電気的接続がなされた複数の接続端子に接続される複数の導電コンタクトと、
上記絶縁ハウジングを部分的に覆う導電性シェルと、
を備えて成り、
上記導電性シェルが、上記第２の嵌合部が上記第１の嵌合部との嵌合状態におかれるとき、該嵌合状態を維持すべく上記相手側コネクタ装置に設けられた第１の係合手段に係合する第２の係合手段が設けられたレバー状部を有し、該レバー状部が、上記第２の嵌合部が上記第１の嵌合部との嵌合状態におかれたもとで、上記相手側コネクタ装置が取り付けられた基板に向かう方向もしくは該基板から離れる方向に変位せしめられることにより、上記第２の係合手段の上記第１の係合手段との係合を解除することを特徴とするコネクタ装置。
【請求項２】
上記第１の係合手段が、上記相手側コネクタ装置が備える導電性シェルに形成された係合突起とされ、上記第２の係合手段が、上記係合突起に係合する係合孔とされることを特徴とする請求項１記載のコネクタ装置。
【請求項３】
上記第１の係合手段が、上記相手側コネクタ装置が備える導電性シェルに形成された係合孔とされ、上記第２の係合手段が、上記係合孔に係合する係合突起とされることを特徴とする請求項１記載のコネクタ装置。
【請求項４】
上記レバー状部が、弾性変形を生じて上記基板に向かう方向もしくは基板から離れる方向に変位せしめられ、その後復元することを特徴とする請求項１記載のコネクタ装置。
【請求項５】
上記レバー状部が、上記第２の嵌合部が上記第１の嵌合部との嵌合状態におかれたもとで弾性変形を生じて上記基板に向かう方向もしくは基板から離れる方向に変位せしめられたとき、上記相手側コネクタ装置に設けられて上記基板の面に実質的に平行な方向への弾性変形による変位が可能とされた係止部により係止されて、一時的に復元が阻止されることを特徴とする請求項４記載のコネクタ装置。
【発明の詳細な説明】
【技術分野】
【０００１】
本願の特許請求の範囲に記載された発明は、ケーブルやフレキシブル印刷配線基板（ＦＰＣ）等が連結されたもとで、ソリッド印刷配線基板等の主基板に取り付けられた相手側コネクタ装置との嵌合状態におかれ、ケーブルやＦＰＣ等と主基板との電気的接続を果すコネクタ装置に関する。
【背景技術】
【０００２】
複数の比較的細いケーブルや比較的小型なフレキシブル印刷配線基板を、各種の電気部品が取り付けられるソリッド印刷配線基板等の主基板に電気的に接続するにあたっては、主基板に取り付けられて主基板との電気的接続がなされる基板側コネクタ装置と、複数のケーブルあるいはフレキシブル印刷配線基板が連結されて、基板側コネクタ装置との嵌合状態におかれるケーブル等側コネクタ装置と、が用いられることが多い。ケーブル等側コネクタ装置からみると、基板側コネクタ装置はケーブル等側コネクタ装置にとっての相手側コネクタ装置となる。
【０００３】
斯かる場合、基板側コネクタ装置は、例えば、嵌合凹部とされる嵌合部が設けられる絶縁ハウジングを備え、その絶縁ハウジングにおける嵌合部に、各々の一端部が端子部とされて主基板に電気的に接続される複数の導電コンタクトの部分が配列配置される。さらに、基板側コネクタ装置は、外部からの電磁波ノイズ対策のため絶縁ハウジングを部分的に覆う金属板材製の導電性シェルを備えたものとされる。また、ケーブル等側コネクタ装置は、基板側コネクタ装置における嵌合部に嵌合する、例えば、嵌合凸部とされる嵌合部が設けられる絶縁ハウジングを備え、その嵌合部に、複数のケーブル等との電気的接続がなされる複数の導電コンタクトの部分が配列配置される。さらに、ケーブル等側コネクタ装置も、外部からの電磁波ノイズ対策のため絶縁ハウジングを部分的に覆う金属板材製の導電性シェルを備えたものとされる。そして、ケーブル等側コネクタ装置の嵌合部が基板側コネクタ装置の嵌合部との嵌合状態におかれるとき、ケーブル等側コネクタ装置における複数の導電コンタクトが、基板側コンタクト装置における複数の導電コンタクトに夫々接触接続される。
【０００４】
このような基板側コネクタ装置及びケーブル等側コネクタ装置にあっては、基板側コネクタ装置が主基板に取り付けられたもとで、複数のケーブルあるいはフレキシブル印刷配線基板が連結されたケーブル等側コネクタ装置における嵌合部が、基板側コネクタ装置における嵌合部との嵌合状態におかれるとき、その嵌合状態が適正に維持されることが要求される。そのため、従来、基板側コネクタ装置及びケーブル等側コネクタ装置の夫々に、ケーブル等側コネクタ装置における嵌合部が基板側コネクタ装置における嵌合部との嵌合状態におかれるとき相互係合するロック機構を設け、そのロック機構に相互係合状態をとらせることにより、ケーブル等側コネクタ装置における嵌合部の基板側コネクタ装置における嵌合部との嵌合状態を維持するとともに、ロック機構の相互係合状態を解除することにより、ケーブル等側コネクタ装置における嵌合部が基板側コネクタ装置における嵌合部から離脱できるようにしたロック機構付きコネクタが提案されている（例えば、特許文献１参照。）。
【０００５】
上述のような従来提案されているロック機構付きコネクタにあっては、基板側コネクタ装置（プリント回路基板（ＰＣＢ）側コネクタ）の複数のコンタクトの配列方向（長手方向）における両端部の夫々に、ＰＣＢ側コネクタが取り付けられたＰＣＢの面に直交する方向に伸びる金属板状部（折込部）に形成された係合孔部（ロック孔）が設けられている。また、ケーブル等側コネクタ装置（ケーブル側コネクタ）の複数のコンタクトの配列方向（長手方向）における両端部の夫々には、ケーブル側コネクタにおける嵌合部がＰＣＢ側コネクタにおける嵌合部に嵌合するとき、ＰＣＢ側コネクタにおけるロック孔に係合する係合凸部（テーパー部及びあご部）が形成されて、ＰＣＢ側コネクタがＰＣＢに取り付けられたもとにおいては当該ＰＣＢの面に平行な方向に変位可能とされた、弾性を有するロックレバーが設けられている。
【０００６】
そして、ＰＣＢ側コネクタがＰＣＢに取り付けられたもとで、ケーブル側コネクタにおける嵌合部にＰＣＢ側コネクタにおける嵌合部との嵌合状態をとらせるときには、ケーブル側コネクタの長手方向における両端部の夫々に設けられたロックレバーに形成されたテーパー部及びあご部を、ＰＣＢ側コネクタの長手方向における両端部の夫々に設けられたロック孔に係合させ、それにより、ケーブル側コネクタにおける嵌合部のＰＣＢ側コネクタにおける嵌合部との嵌合状態が維持されるようにする。その後、ケーブル側コネクタにおける嵌合部をＰＣＢ側コネクタにおける嵌合部から離脱させる際には、ケーブル側コネクタの長手方向における両端部の夫々に設けられたロックレバーを、ＰＣＢ側コネクタが取り付けられたＰＣＢの面に平行な方向に変位させることにより、ロックレバーに形成されたテーパー部及びあご部のＰＣＢ側コネクタに設けられたロック孔との係合状態を解除して、ケーブル側コネクタにおける嵌合部をＰＣＢ側コネクタにおける嵌合部から離脱できる状態にする。
【０００７】
【特許文献１】特開２００５−１７４７２９号公報（第３〜５頁、図２〜４）
【発明の開示】
【発明が解決しようとする課題】
【０００８】
前述の従来提案されているロック機構付きコネクタを構成するＰＣＢ側コネクタ及びケーブル側コネクタのうちのケーブル側コネクタにあっては、それにおける嵌合部をＰＣＢに取り付けられたＰＣＢ側コネクタにおける嵌合部から離脱させるときには、その長手方向における両端部の夫々に設けられたロックレバーを、ＰＣＢ側コネクタが取り付けられるＰＣＢの面に平行な方向に変位させて、ロックレバーに形成されたテーパー部及びあご部のＰＣＢ側コネクタに設けられたロック孔との係合状態を解除させることが必要とされる。その際におけるロックレバーのＰＣＢ側コネクタが取り付けられるＰＣＢの面に平行な方向への変位は、ケーブル側コネクタの長手方向における両端部の夫々に設けられたロックレバーを、ケーブル側コネクタの外側から内側に向かう方向に変位させる操作によって行われる。
【０００９】
そして、ロックレバーをケーブル側コネクタの外側から内側に向かう方向に変位させる操作は、具体的には、弾性変形可能とされたロックレバーにその外側から取り付けられた、絶縁部材（インシュレータ）によって形成されたロック操作部を、ケーブル側コネクタの外側から内側に押し込む操作とされる。そのため、その嵌合部がＰＣＢに取り付けられたＰＣＢ側コネクタにおける嵌合部との嵌合状態におかれたケーブル側コネクタは、その長手方向における両端部の外側に、ロック操作部をケーブル側コネクタの外側から内側に押し込む操作を行うための人指あるいは所定の工具を配することができるスペースが設けられていることが必要なものとされる。
【００１０】
即ち、ＰＣＢ側コネクタが取り付けられるＰＣＢの面上において、その嵌合部がＰＣＢ側コネクタにおける嵌合部との嵌合状態におかれたケーブル側コネクタとそれに隣接して配される他のコネクタあるいは他の電気部品との間に、ケーブル側コネクタのロック操作部をケーブル側コネクタの外側から内側に押し込む操作を行うための人指あるいは所定の工具を配することができるスペースが残されるようにしなければならないのである。このことは、ＰＣＢ側コネクタが取り付けられるＰＣＢの利用効率を低下させることになり、ＰＣＢ側コネクタが取り付けられるＰＣＢの小型化の妨げとなるという不都合を生じる。
【００１１】
また、ケーブル側コネクタのロック操作部をケーブル側コネクタの外側から内側に押し込む操作は、弾性変形可能とされたロックレバーとその外側から取り付けられたインシュレータによって形成されたロック操作部との間に相互摺動を生じさせる。その結果、ケーブル側コネクタのロック操作部をケーブル側コネクタの外側から内側に押し込む操作が、インシュレータによって形成されたロック操作部を磨耗させてしまう、という不都合ももたらされる。
【００１２】
斯かる点に鑑み、本願の特許請求の範囲に記載された発明は、複数の導電コンタクトが配置され、基板に取り付けられた相手側コネクタ装置に設けられた相手側嵌合部との嵌合状態をとるものとされて、複数の導電コンタクトに、相手側コネクタ装置に配された複数の接続端子を介して、相手側コネクタ装置が取り付けられた基板との電気的接続状態をとらせる嵌合部と、当該嵌合部の相手側嵌合部との嵌合状態を維持すべく、相手側コネクタ装置に設けられた相手側係合部に係合する係合部とが設けられ、嵌合部が相手側嵌合部との嵌合状態におかれて係合部が相手側係合部に係合したもとで、相手側コネクタ装置が取り付けられた基板の面上における隣接して配される他のコネクタあるいは他の電気部品との間に、操作を行うための人指あるいは所定の工具を配するためのスペースを要することなく、係合部の相手側係合部との嵌合を容易に解除することができることになるコネクタ装置を提供する。
【課題を解決するための手段】
【００１３】
本願の特許請求の範囲における請求項１から請求項５までのいずれかに記載された発明（以下、本発明という。）に係るコネクタ装置は、基板に取り付けられて使用される相手側コネクタ装置に設けられた第１の嵌合部との嵌合状態におかれる第２の嵌合部が設けられた絶縁ハウジングと、第２の嵌合部に配列配置される部分を有して絶縁ハウジングに配され、第２の嵌合部が第１の嵌合部との嵌合状態におかれるとき、相手側コネクタ装置に配されて基板との電気的接続がなされた複数の接続端子に接続される複数の導電コンタクトと、絶縁ハウジングを部分的に覆う導電性シェルと、を備えて構成され、導電性シェルが、第２の嵌合部が第１の嵌合部との嵌合状態におかれるとき、その嵌合状態を維持すべく相手側コネクタ装置に設けられた第１の係合手段に係合する第２の係合手段が設けられたレバー状部を有し、そのレバー状部が、第２の嵌合部が第１の嵌合部との嵌合状態におかれたもとで、相手側コネクタ装置が取り付けられた基板に向かう方向もしくは基板から離れる方向に変位せしめられることにより、第２の係合手段の第１の係合手段との係合を解除するものとされる。
【００１４】
特に、本発明に係るコネクタ装置のうちの請求項４に記載されたものにあっては、導電性シェルが有するレバー状部が、弾性変形を生じて基板に向かう方向もしくは基板から離れる方向に変位せしめられ、その後復元するものとされる。
【００１５】
さらに、本発明に係るコネクタ装置のうちの請求項５に記載されたものにあっては、導電性シェルが有するレバー状部が、第２の嵌合部が第１の嵌合部との嵌合状態におかれたもとで、弾性変形を生じて基板に向かう方向もしくは基板から離れる方向に変位せしめられたとき、相手側コネクタ装置に設けられて上述の基板の面に実質的に平行な方向への弾性変形による変位が可能とされた係止部により係止されて、一時的に復元が阻止されるものとされる。
【００１６】
上述のように構成される本発明に係るコネクタ装置においては、絶縁ハウジングに設けられた第２の嵌合部が、基板に取り付けられた相手側コネクタ装置の第１の嵌合部との嵌合状態におかれるとき、絶縁ハウジングを部分的に覆う導電性シェルが有するレバー状部に設けられた第２の係合手段が、相手側コネクタ装置に設けられた第１の係合手段に係合して、第２の嵌合部の第１の嵌合部との嵌合状態が維持される。それにより、第２の嵌合部に配列配置された部分を有する複数の導電コンタクトが、相手側コネクタ装置に配されて基板との電気的接続がなされた複数の接続端子に接続され、その複数の接続端子を介して、相手側コネクタ装置が取り付けられた基板に電気的に接続される。
【００１７】
その後、導電性シェルが有するレバー状部が、相手側コネクタ装置が取り付けられた基板に向かう方向もしくは基板から離れる方向に変位せしめられると、それにより、レバー状部に設けられた第２の係合手段が相手側コネクタ装置に設けられた第１の係合手段との係合を解除する。そして、絶縁ハウジングに設けられた第２の嵌合部が、基板に取り付けられた相手側コネクタ装置の第１の嵌合部からの離脱が可能な状態におかれる。
【００１８】
特に、本発明に係るコネクタ装置のうちの請求項４に記載されたものにおいては、導電性シェルが有するレバー状部が、相手側コネクタ装置が取り付けられた基板に向かう方向もしくは基板から離れる方向の変位を、その弾性変形を生じることにより行い、一旦変位した後に復元する。
【００１９】
さらに、本発明に係るコネクタ装置のうちの請求項５に記載されたものにおいては、第２の嵌合部が相手側コネクタ装置に設けられた第１の嵌合部との嵌合状態におかれたもとで、弾性変形を生じて基板に向かう方向もしくは基板から離れる方向に変位せしめられたレバー状部が、相手側コネクタ装置に設けられて上述の基板の面に実質的に平行な方向への弾性変形による変位が可能とされた係止部により係止されて、一時的に復元が阻止されるものとされる。
【発明の効果】
【００２０】
上述の本発明に係るコネクタ装置にあっては、第２の嵌合部が基板に取り付けられた相手側コネクタ装置の第１の嵌合部との嵌合状態におかれたもとで、導電性シェルが有するレバー状部を相手側コネクタ装置が取り付けられた基板に向かう方向もしくは基板から離れる方向に変位させるには、当該レバー状部を基板に向かう方向に押し動かす簡単な操作もしくは当該レバー状部を基板から離れる方向に引き動かす簡単な操作で足り、斯かる操作には、相手側コネクタ装置が取り付けられた基板の面上における当該コネクタ装置に隣接して配される他のコネクタあるいは他の電気部品との間に、操作を行うための人指あるいは所定の工具を配するためのスペースは必要とされない。従って、本発明に係るコネクタ装置によれば、第２の嵌合部が基板に取り付けられた相手側コネクタ装置の第１の嵌合部との嵌合状態におかれ、レバー状部に設けられた第２の係合手段が相手側コネクタ装置に設けられた第１の係合手段に係合したもとで、相手側コネクタ装置が取り付けられた基板の面上において、当該コネクタ装置とそれに隣接して配される他のコネクタあるいは他の電気部品との間に、操作を行うための人指あるいは所定の工具を配するためのスペースを要することなく、第２の係合手段の第１の係合手段との係合を容易に解除することができることになる。
【００２１】
そして、その結果、本発明に係るコネクタ装置は、相手側コネクタ装置が取り付けられる基板の利用効率を向上させることができ、相手側コネクタ装置が取り付けられる基板の小型化に貢献できるものとなる。
【００２２】
特に、本発明に係るコネクタ装置のうちの請求項４に記載されたものによれば、導電性シェルが有するレバー状部が、相手側コネクタ装置が取り付けられた基板に向かう方向もしくは基板から離れる方向の変位を、その弾性変形を生じることにより行い、一旦変位した後に復元するので、レバー状部を相手側コネクタ装置が取り付けられた基板に向かう方向もしくは基板から離れる方向に変位させる操作を行った後には、それを復元させる操作は必要とされない。
【００２３】
さらに、本発明に係るコネクタ装置のうちの請求項５に記載されたものによれば、第２の嵌合部が相手側コネクタ装置に設けられた第１の嵌合部との嵌合状態におかれたもとで、弾性変形を生じて基板に向かう方向もしくは基板から離れる方向に変位せしめられたレバー状部が、相手側コネクタ装置に設けられて上述の基板の面に実質的に平行な方向への弾性変形による変位が可能とされた係止部により係止されて、一時的に復元が阻止されるものとされるので、第２の嵌合部を第１の嵌合部から離脱させるにあたり、レバー状部を相手側コネクタ装置が取り付けられた基板に向かう方向もしくは基板から離れる方向に変位させる操作を、継続的に行うことが必要とされず、第２の嵌合部の第１の嵌合部からの離脱を容易に行うことができる。
【００２４】
また、本発明に係るコネクタ装置にあっては、導電性シェルが有するレバー状部を相手側コネクタ装置が取り付けられた基板に向かう方向もしくは基板から離れる方向に変位させるための、当該レバー状部を基板に向かう方向に押し動かす簡単な操作もしくは当該レバー状部を基板から離れる方向に引き動かす簡単な操作は、レバー状部に対して直接に行うことができ、例えば、レバー状部に絶縁部材で成る操作部を取り付けることは必要とされない。従って、レバー状部の操作が、レバー状部とそれに取り付けられた操作部との間の摺動を生じさせ、それにより操作部を磨耗させてしまうことになるという不都合がもたらされることもない。
【発明を実施するための最良の形態】
【００２５】
本発明を実施するための最良の形態は、以下に述べられる本発明についての実施例をもって説明される。
【実施例】
【００２６】
図１は、本発明に係るコネクタ装置の一例を、それに連結された複数のケーブルと共に示す。
【００２７】
図１において、本発明に係るコネクタ装置の一例を成すコネクタ装置１１は、例えば、複数の同軸ケーブル１２が電気的に連結されたもとで、例えば、ソリッド印刷配線基板とされる基板にそれに設けられた電気回路構成部との電気的接続がなされて取り付けられた、相手側コネクタ装置とされる基板側コネクタ装置に嵌合する、ケーブル側コネクタ装置として用いられるものとされている。そして、コネクタ装置１１は、合成樹脂等の絶縁材料によって形成された絶縁ハウジング１３、及び、外部からの電磁波ノイズ対策のため絶縁ハウジング１３の外面部を部分的に覆うものとされた、例えば、弾性を有した金属板材料が屈曲されて成る導電性シェル１４を備えている。
【００２８】
絶縁ハウジング１３には、基板側コネクタ装置（相手側コネクタ装置）に設けられた嵌合凹部との嵌合状態におかれる、絶縁ハウジング１３の長手方向に伸びる嵌合凸部１５が設けられている。また、絶縁ハウジング１３には、各々が、例えば、弾性を有した金属材料が屈曲されて形成された複数の導電コンタクト１６が、夫々の一部分が嵌合凸部１５に絶縁ハウジング１３の長手方向に沿って配列配置されるものとされて配されている。
【００２９】
複数の導電コンタクト１６の夫々における嵌合凸部１５に配置された部分は、嵌合凸部１５が基板側コネクタ装置に設けられた嵌合凹部との嵌合状態におかれるとき、その基板側コネクタ装置に配されて基板との電気的接続がなされた複数の接続端子のうちの対応するものに接触接続され、それにより、複数の導電コンタクト１６が基板側コネクタ装置における複数の接続端子に夫々接続されることになる。また、複数の導電コンタクト１６の夫々には、複数の同軸ケーブル１２のうちの対応するものの信号導体が接続される。複数の同軸ケーブル１２の夫々は、その信号導体が導電コンタクト１６に接続されるとともに、その接地導体が導電性シェル１４に接触接続されて、コネクタ装置１１に電気的に連結される。
【００３０】
導電性シェル１４には、その長手方向における両端部の夫々に、弾性変形を生じての変位が可能とされたレバー状部１７が一体形成されて設けられている。各レバー状部１７には、後述される基板側コネクタ装置に設けられた係合手段に係合する係合手段を成す係合孔１８が設けられており、さらに、導電性シェル１４の長手方向に沿って外方に突出するタブ１９が設けられている。
【００３１】
図２は、コネクタ装置１１が嵌合する相手側コネクタ装置の一例を成す基板側コネクタ装置２０を示す。
【００３２】
図２において、基板側コネクタ装置２０は、例えば、ソリッド印刷配線基板とされる基板にそれに設けられた電気回路構成部との電気的接続がなされて取り付けられた状態のもとで、コネクタ装置１１が嵌合するものとされている。そして、基板側コネクタ装置２０は、合成樹脂等の絶縁材料によって形成された絶縁ハウジング２１、及び、外部からの電磁波ノイズ対策のため絶縁ハウジング２１の外面部の殆どを覆うものとされた、例えば、弾性を有した金属板材料が屈曲されて成る導電性シェル２２を備えている。
【００３３】
絶縁ハウジング２１及び導電性シェル２２には、コネクタ装置１１に設けられた嵌合凸部１５との嵌合状態におかれる、絶縁ハウジング２１の長手方向に伸びる嵌合凹部２３が設けられている。また、絶縁ハウジング２１には、図２においては導電性シェル２２の内側に隠れているが、各々が、例えば、弾性を有した金属材料が屈曲されて形成された複数の接続端子２４（図４，図５）が、絶縁ハウジング２１の長手方向に沿って配列配置されるものとされて配されている。そして、複数の接続端子２４の夫々の一端は、基板側コネクタ装置２０が取り付けられる基板に設けられた配線パターン部に接続されるものとされている。
【００３４】
導電性シェル２２には、その長手方向における両端部の夫々に、コネクタ装置１１が備える導電性シェル１４に形成されたレバー状部１７と係合する係合部２５が一体形成されて設けられている。各係合部２５には、コネクタ装置１１におけるレバー状部１７に設けられた係合手段を成す係合孔１８に係合する係合手段を成す係合突起２６が、導電性シェル２２の内側に突出するものとして設けられている。また、導電性シェル２２の長手方向における両端部の夫々の内部には、導電性シェル２２の内側に突出する弾性変形可能な係止部２７が設けられている（図２においては、導電性シェル２２の長手方向における両端部のうちの一方におけるもののみが現れている。）。さらに、導電性シェル２２には、基板側コネクタ装置２０が取り付けられる基板に設けられた配線パターン部のうちの接地接続部に接続される接地端子２８（図４）が形成されている。
【００３５】
このような基板側コネクタ装置２０は、複数の接続端子２４の夫々の一端部が、基板側コネクタ装置２０が取り付けられる基板に設けられた配線パターン部に接続され、また、導電性シェル２２に設けられた接地端子２８が、基板側コネクタ装置２０が取り付けられる基板に設けられた配線パターン部のうちの接地接続部に接続されて、基板にそれに設けられた電気回路構成部との電気的接続がなされて取り付けられた状態におかれる。
【００３６】
上述のコネクタ装置１１及び基板側コネクタ装置２０は、図３及び図４に示されるように、基板側コネクタ装置２０が、例えば、ソリッド印刷配線基板とされる基板３０にそれに設けられた電気回路構成部との電気的接続がなされて取り付けられた状態のもとで、コネクタ装置１１における嵌合凸部１５が基板側コネクタ装置２０における嵌合凹部２３に差し込まれて嵌合する状態におかれ、それにより、コネクタ装置１１が基板側コネクタ装置２０に嵌合するものとされる。図３においては、コネクタ装置１１及び基板側コネクタ装置２０が、絶縁ハウジング１３の長手方向における一端部及び絶縁ハウジング２１の長手方向における一端部が切除されて、断面があらわされたものとされている。
【００３７】
図３及び図４に示されるようにコネクタ装置１１における嵌合凸部１５が基板側コネクタ装置２０における嵌合凹部２３に差し込まれて嵌合する状態におかれるときには、図４におけるＶ−Ｖ線断面を示す図５、及び、図３に示される断面を含む部分を拡大して示す図６に示されるように、コネクタ装置１１に備えられたレバー状部１７における係合孔１８及びタブ１９が設けられた部分が、基板側コネクタ装置２０に備えられた係合部２５における係合突起２６が設けられた部分の内側に入り込む状態とされる。それにより、レバー状部１７における係合孔１８が、係合部２５における係合突起２６に係合するものとされ、その結果、コネクタ装置１１における嵌合凸部１５の基板側コネクタ装置２０における嵌合凹部２３との嵌合状態が安定に維持される。
【００３８】
また、このとき、図６、及び、図４における円ＶＩＩ内を拡大して示す図７に示されるように、コネクタ装置１１に備えられたレバー状部１７に設けられたタブ１９は、その先端面部を基板側コネクタ装置２０に設けられた係止部２７に当接させ、係止部２７に基板側コネクタ装置２０の絶縁ハウジング２１の長手方向に沿って外方に変位する弾性変形を生じさせる。即ち、係止部２７は、基板３０の面に実質的に平行な方向の弾性変形を生じるものとされるのである。このようにして、弾性変形を生じて外方に変位した係止部２７は、コネクタ装置１１における嵌合凸部１５の基板側コネクタ装置２０における嵌合凹部２３との嵌合状態が維持されているもとにあっては、レバー状部１７に設けられたタブ１９によって、外方に変位した状態に維持される。
【００３９】
コネクタ装置１１における嵌合凸部１５が基板側コネクタ装置２０における嵌合凹部２３に差し込まれて嵌合する状態におかれたもとにあっては、コネクタ装置１１に配された複数の導電コンタクト１６の夫々における嵌合凸部１５に配置された部分が、基板側コネクタ装置２０に配されて基板３０との電気的接続がなされた複数の接続端子２４のうちの対応するものに接触接続され、それにより、複数の導電コンタクト１６が基板側コネクタ装置２０における複数の接続端子２４に夫々接続されることになる。それにより、複数の導電コンタクト１６の夫々に接続された複数の同軸ケーブル１２の各々の信号導体が、導電コンタクト１６及び基板側コネクタ装置２０における接続端子２４を通じて、基板３０に設けられた配線パターン部に接続され、また、コネクタ装置１１の導電性シェル１４に接触接続された複数の同軸ケーブル１２の各々の接地導体が、導電性シェル１４及び基板側コネクタ装置２０の導電性シェル２２に設けられた接地端子２８を通じて、基板３０に設けられた配線パターン部のうちの接地接続部に接続される。
【００４０】
その後、コネクタ装置１１における嵌合凸部１５の基板側コネクタ装置２０における嵌合凹部２３との嵌合状態が解除されて、コネクタ装置１１における嵌合凸部１５が基板側コネクタ装置２０における嵌合凹部２３から離脱せしめられるにあたっては、図８及び図９に示されるように、コネクタ装置１１に備えられたレバー状部１７が、例えば、その端部にそれを基板側コネクタ装置２０が取り付けられた基板３０に向かって押し下げる押圧力が加えられ、弾性変形を生じて基板３０に向かう方向に変位せしめられる。それにより、図９におけるＸ−Ｘ線断面を示す図１０に示されるように、基板３０に向かう方向に変位せしめられたレバー状部１７における係合孔１８が、レバー状部１７の基板３０に向かう方向への変位に伴って、基板３０に向かう方向に変位せしめられ、基板側コネクタ装置２０に備えられた係合部２５における係合突起２６との係合を解除するものとされる。その結果、コネクタ装置１１における嵌合凸部１５が、基板側コネクタ装置２０における嵌合凹部２３との嵌合状態を解除して、基板側コネクタ装置２０における嵌合凹部２３から離脱せしめられ得るものとされる。即ち、コネクタ装置１１が、その嵌合凸部１５を基板側コネクタ装置２０における嵌合凹部２３から引き抜いて、基板側コネクタ装置２０から離脱させることができる状態におかれるのである。
【００４１】
また、このとき、図１１、及び、図９における円ＸＩＩ内を拡大して示す図１２に示されるように、コネクタ装置１１に備えられたレバー状部１７に設けられたタブ１９は、レバー状部１７の基板３０に向かう方向への変位伴って、基板３０に向かう方向に変位せしめられ、その先端面部が基板側コネクタ装置２０に設けられた係止部２７に当接する状態から、係止部２７より基板３０側の位置をとるものとされる。タブ１９の先端面部が当接しなくなった係止部２７は、弾性変形を生じて外方に変位した状態から自身の弾性によって自動的に復元し、係止部２７より基板３０側の位置をとるものとされたタブ１９を係止して、タブ１９の元の位置への復帰を阻止する。それにより、基板３０に向かう方向に変位せしめられたレバー状部１７が、一時的に復元が阻止されて、基板３０に向かう方向に変位せしめられた位置に維持される。
【００４２】
このようにして、タブ１９が係止部２７により係止されて、レバー状部１７が基板３０に向かう方向に変位せしめられた位置に維持されることにより、例えば、レバー状部１７の端部にそれを基板３０に向かって押し下げる押圧力が加えられなくなっても、レバー状部１７における係合孔１８が基板側コネクタ装置２０に備えられた係合部２５における係合突起２６との係合を解除した状態に維持される。従って、例えば、一旦、レバー状部１７の端部にそれを基板３０に向かって押し下げる押圧力を加えた後には、その押圧力を継続的に加えることを要することなく、コネクタ装置１１の嵌合凸部１５を基板側コネクタ装置２０における嵌合凹部２３から引き抜いて、コネクタ装置１１を基板側コネクタ装置２０から離脱させることができる。
【００４３】
そして、コネクタ装置１１の嵌合凸部１５を基板側コネクタ装置２０における嵌合凹部２３から引き抜いて、コネクタ装置１１を基板側コネクタ装置２０から離脱させると、コネクタ装置１１に備えられたレバー状部１７における係合孔１８及びタブ１９が設けられた部分が、基板側コネクタ装置２０に備えられた係合部２５における係合突起２６が設けられた部分の内側から引き抜かれ、タブ１９が係止部２７により係止されなくなる。それにより、レバー状部１７が、弾性変形を生じて基板３０に向かう方向に変位した状態から自身の弾性によって自動的に復元する。
【００４４】
上述のコネクタ装置１１にあっては、嵌合凸部１５が基板３０に取り付けられた基板側コネクタ装置２０の嵌合凹部２３との嵌合状態におかれたもとで、導電性シェル１４に一体的に形成されたレバー状部１７を基板側コネクタ装置２０が取り付けられた基板３０に向かう方向に変位させるには、例えば、レバー状部１７を基板３０に向かう方向に押し動かす簡単な操作で足り、斯かる操作には、基板側コネクタ装置２０が取り付けられた基板３０の面上における基板側コネクタ装置２０に隣接して配される他のコネクタあるいは他の電気部品との間に、操作を行うための人指あるいは所定の工具を配するためのスペースは必要とされない。従って、コネクタ装置１１によれば、嵌合凸部１５が基板３０に取り付けられた基板側コネクタ装置２０の嵌合凹部２３との嵌合状態におかれ、レバー状部１７に設けられ係合孔１８が基板側コネクタ装置２０に設けられた係合突起２６に係合したもとで、基板側コネクタ装置２０が取り付けられた基板３０の面上において、基板側コネクタ装置２０とそれに隣接して配される他のコネクタあるいは他の電気部品との間に、操作を行うための人指あるいは所定の工具を配するためのスペースを要することなく、係合孔１８の係合突起２６との嵌合を容易に解除することができることになる。その結果、コネクタ装置１１は、基板側コネクタ装置２０が取り付けられる基板３０の利用効率を向上させることができ、基板３０の小型化に貢献できるものとなる。
【００４５】
また、コネクタ装置１１によれば、導電性シェル１４に一体的に形成されたレバー状部１７が、基板側コネクタ装置２０が取り付けられた基板３０に向かう方向の変位を、その弾性変形を生じることにより行い、一旦変位した後に復元するので、レバー状部１７を基板側コネクタ装置２０が取り付けられた基板３０に向かう方向に変位させる操作を行った後には、それを復元させる操作は必要とされない。
【００４６】
さらに、コネクタ装置１１によれば、嵌合凸部１５が基板３０に取り付けられた基板側コネクタ装置２０の嵌合凹部との嵌合状態におかれたもとで、弾性変形を生じて基板３０に向かう方向に変位せしめられたレバー状部１７が、それに設けられたタブ１９が基板側コネクタ装置２０に設けられて基板３０の面に実質的に平行な方向への弾性変形による変位が可能とされた係止部２７により係止されることにより、一時的に復元が阻止されるものとされるので、嵌合凸部１５を嵌合凹部２３から離脱させるにあたり、レバー状部１７を基板３０に向かう方向に変位させる操作を、継続的に行うことが必要とされず、嵌合凸部１５の嵌合凹部２３からの離脱を容易に行うことができる。
【００４７】
また、コネクタ装置１１にあっては、導電性シェル１４に一体的に形成されたレバー状部１７を基板側コネクタ装置２０が取り付けられた基板３０に向かう方向に変位させるための、レバー状部１７を基板３０に向かう方向に押し動かす簡単な操作は、レバー状部１７に対して直接に行うことができ、例えば、レバー状部１７に絶縁部材で成る操作部を取り付けることは必要とされない。従って、レバー状部１７の操作が、レバー状部１７とそれに取り付けられた操作部との間の摺動を生じさせ、それにより操作部を磨耗させてしまうことになるという不都合がもたらされることはない。
【００４８】
上述のコネクタ装置１１及び基板側コネクタ装置２０は、コネクタ装置１１におけるレバー状部１７に係合手段としての係合孔１８が設けられ、また、基板側コネクタ装置２０における係合部２５に係合手段としての係合突起２６が設けられたものとされて、コネクタ装置１１は、そのレバー状部１７に、基板側コネクタ装置２０における係合部２５に設けられた係合突起２６に係合する係合孔１８が設けられたものとされている。しかしながら、本発明に係るコネクタ装置及びそれが嵌合するものとされる基板側コネクタ装置は、本発明に係るコネクタ装置におけるレバー状部に、上述の係合孔１８に代えて、基板側コネクタ装置における係合部に設けられた係合突起に係合する係合凹部もしくは係合突起が設けられたものとされてもよく、さらには、本発明に係るコネクタ装置におけるレバー状部に係合手段としての係合突起が設けられ、また、基板側コネクタ装置における係合部に係合手段としての係合孔，係合凹部もしくは係合突起が設けられたものとされて、本発明に係るコネクタ装置が、そのレバー状部に、基板側コネクタ装置における係合部に設けられた係合孔，係合凹部もしくは係合突起に係合する係合突起が設けられたものとされてもよい。斯かる場合にも、上述のコネクタ装置１１により得られる作用効果の同様の作用効果が得られる。
【００４９】
また、上述のコネクタ装置１１にあっては、嵌合凸部１５が基板３０に取り付けられた基板側コネクタ装置２０の嵌合凹部２３との嵌合状態におかれたもとで、そのレバー状部１７が基板側コネクタ装置２０が取り付けられた基板３０に向かう方向に変位せしめられることにより、レバー状部１７に設けられた係合手段としての係合孔１８の基板側コネクタ装置２０における係合部２５に設けられた係合手段としての係合突起２６との係合が解除されるものとされている。しかしながら、本発明に係るコネクタ装置にあっては、上述の嵌合凸部１５に相当する嵌合部が、基板に取り付けられた基板側コネクタ装置の上述の嵌合凹部２３に相当する嵌合部との嵌合状態におかれたもとで、そのレバー状部が基板側コネクタ装置が取り付けられた基板から離れる方向に変位せしめられることにより、レバー状部に設けられた係合手段の基板側コネクタ装置に設けられた係合手段との係合が解除されるものとして構成されることも可能である。斯かる構成がとられる場合には、例えば、レバー状部が基板側コネクタ装置が取り付けられた基板から離れる方向に変位せしめられるとき、レバー状部に設けられた係合手段が、基板側コネクタ装置が取り付けられた基板から離れる方向、もしくは、基板側コネクタ装置が取り付けられた基板に向かう方向に変位して、基板側コネクタ装置に設けられた係合手段との係合を解除するものとされる。
【産業上の利用可能性】
【００５０】
以上のような本発明に係るコネクタ装置は、基板に取り付けられた基板側コネクタ装置との嵌合状態を安定に維持することができ、しかも、基板側コネクタ装置との嵌合状態の解除にあたっては、基板側コネクタ装置が取り付けられた基板面上において解除操作のための余分なスペースが要されないものとして、様々な電子機器等に広く適用され得るものである。
【図面の簡単な説明】
【００５１】
【図１】本発明に係るコネクタ装置の一例をそれに連結された複数のケーブルと共に示す斜視図である。
【図２】本発明に係るコネクタ装置が嵌合する相手側コネクタ装置の一例を成す基板側コネクタ装置を示す斜視図である。
【図３】図１に示されるコネクタ装置の一例が、基板に取り付けられた図２に示される基板側コネクタ装置に嵌合した状態を示す斜視図である。
【図４】図１に示されるコネクタ装置の一例が、基板に取り付けられた図２に示される基板側コネクタ装置に嵌合した状態を示す平面図である。
【図５】図４におけるＶ−Ｖ線断面を示す断面図である。
【図６】図３に示されるコネクタ装置の一例及び基板側コネクタ装置の部分を拡大して示す部分拡大斜視図である。
【図７】図４における円ＶＩＩ内の部分を拡大して示す部分拡大平面図である。
【図８】図１に示されるコネクタ装置の一例が、基板に取り付けられた図２に示される基板側コネクタ装置に嵌合したもとで、レバー状部が基板に向かう方向に変位せしめられた状態を示す斜視図である。
【図９】図１に示されるコネクタ装置の一例が、基板に取り付けられた図２に示される基板側コネクタ装置に嵌合したもとで、レバー状部が基板に向かう方向に変位せしめられた状態を示す平面図である。
【図１０】図９におけるＸ−Ｘ線断面を示す断面図である。
【図１１】図８に示されるコネクタ装置の一例及び基板側コネクタ装置の部分を拡大して示す部分拡大斜視図である。
【図１２】図９における円ＸＩＩ内の部分を拡大して示す部分拡大平面図である。
【符号の説明】
【００５２】
１１・・・コネクタ装置，  １２・・・同軸ケーブル，  １３，２１・・・絶縁ハウジング，  １４，２２・・・導電性シェル，  １５・・・嵌合凸部，  １６・・・導電コンタクト，  １７・・・レバー状部，  １８・・・係合孔，  １９・・・タブ，  ２０・・・基板側コネクタ装置，  ２３・・・嵌合凹部，  ２４・・・接続端子，  ２５・・・係合部,   ２６・・・係合突起，  ２７・・・係止部，  ２８・・・接地端子，  ３０・・・基板
【図１】
0005045931.tif 000002
【図２】
0005045931.tif 000003
【図３】
0005045931.tif 000004
【図４】
0005045931.tif 000005
【図５】
0005045931.tif 000006
【図６】
0005045931.tif 000007
【図７】
0005045931.tif 000008
【図８】
0005045931.tif 000009
【図９】
0005045931.tif 000010
【図１０】
0005045931.tif 000011
【図１１】
0005045931.tif 000012
【図１２】
0005045931.tif 000013